(57)【特許請求の範囲】
【請求項１】
前面が開口した断熱筐体として形成された本体キャビネットと、当該本体キャビネットの前面を開閉可能な外扉とを備えた自動販売機であって、前記外扉の上部領域に形成されるとともに透明パネルにより覆われたディスプレイ室と、外扉に形成された矩形の窓穴を覆う透明パネルを有し、広告部材を係止して展示するとともに背後に電装ボックスが配設された取付枠を有する広告展示部および貨幣の投入・返却操作を行う操作パネル部を有し、前記広告展示部および操作パネル部がディスプレイ室の下方に横並びに配置された自動販売機において、前記電装部品が配設された取付枠の左右方向幅を前記矩形の窓穴を覆う透明パネルの左右方向幅よりも小さく形成するとともに片方に寄せて配置し、これにより空いたスペースにオプション品が配設されたオプションユニットを備え、前記広告展示部を前記オプションユニットの装着部としたことを特徴とする自動販売機。
【請求項２】
請求項１に記載した自動販売機において、オプションユニットの非装着時には、片方に寄せて配置された取付枠に並設して目隠し部材を有することを特徴とする自動販売機。
【請求項３】
請求項１に記載した自動販売機において、オプション品は電子マネーの少なくとも読取端末装置であることを特徴とする自動販売機。
【請求項４】
請求項３に記載した自動販売機において、電子マネーは複数の種類毎に配設されていることを特徴とする自動販売機。
【請求項５】
請求項３に記載した自動販売機において、オプションユニットは広告展示部の透明パネルに対応する外形を有するユニット本体枠を有し、前記透明パネルとの互換性を有することを特徴とする自動販売機。
【請求項６】
請求項３に記載した自動販売機において、オプションユニットはユニット本体枠と、このユニット本体枠に固着された電子マネーの少なくとも読取端末装置と、この読取端末装置に並設される電装部品が配設された取付枠と、前記ユニット本体枠にパネル押えを介して取付けられた透明パネルおよび前記透明パネルの背後に配設された広告部材とからなることを特徴とする自動販売機。
【請求項７】
請求項５に記載した自動販売機において、パネル押えは広告部材を保持する保持部材を有し、広告部材の保持に兼用されていることを特徴とする自動販売機。
【請求項８】
請求項６に記載した自動販売機において、パネル押えの背後に明り取り窓を有するカバー部材を有することを特徴とする自動販売機。
【発明の詳細な説明】
【技術分野】
【０００１】
この発明は、前面が開口した断熱筐体として形成された本体キャビネットと、当該本体キャビネットの前面を開閉可能な外扉とを備えた自動販売機であって、前記外扉が、その上部領域に形成されるとともに透明パネルにより覆われたディスプレイ室と、広告部材を展示するとともに透明パネルで覆われ、かつ、広告部材の背後に電装部品が配設された広告展示部および貨幣の投入・返却操作を行う操作パネル部を有し、前記広告展示部および操作パネル部がディスプレイ室の下方に横並びに配置された自動販売機に関する。
【背景技術】
【０００２】
缶入り飲料，瓶入り飲料，ペットボトル飲料などの商品を販売する自動販売機は本体キャビネットの庫内に商品を冷蔵，温蔵状態に区分して保存し、外扉のディスプレイ室内に設置したディスプレイ台上に複数の商品見本を左右に並べて展示し、商品見本に応じて設けられた商品選択ボタンを押すことにより指定された商品を販売するように構成されている。この種の従来の自動販売機について図７および図８を用いて説明する。
図７および図８に示すように、この自動販売機は、前面が開口した断熱筐体として形成された本体キャビネット１と、本体キャビネット１の前面に開閉可能に支持された外扉２とからなる。本体キャビネット１の開口面は開閉可能な断熱内扉３によって閉塞されて商品収納庫を画成している。本体キャビネット１の庫内は、断熱仕切壁により左右方向に複数の商品収納室に区分され、各商品収納室には缶入り飲料，瓶入り飲料，ペットボトル入り飲料などの商品を収容するとともにその下端に商品を搬出する商品払出機構を有する商品収納ラックが収設され、また、各商品収納室の下部には、当該各商品収納室を冷却もしくは加熱して商品収納ラックに収納した商品を冷却または加熱する冷却／加熱ユニットが配設されている。
前記外扉２の前面の上部域はアクリル樹脂からなる透明パネル４で覆われ、この透明パネル４と外扉２に開閉可能に軸支された中扉６との間の空間がディスプレイ室５として形成されている。前記中扉６の前面には、本体キャビネット１の庫内に収容した商品に対応した複数の商品見本８を左右に一列に並べて載置したディスプレイ台７が上下方向に３段取付けられている。前記透明パネル４には各ディスプレイ台７と対峙する位置に商品選択ボタンユニット９が設けられ、当該商品選択ボタンユニット９は、ディスプレイ台７に載置された各商品見本８に対応して左右に一列に並べて設けた商品選択ボタン（不図示）を有している。また、前記外扉２の前面には硬貨投入口２１、紙幣挿入口２２、返却レバー２３、商品取出口２４に加え、ロック付ハンドル（扉ロック装置）２５、硬貨返却口２６などが設けられ、硬貨投入口２１、紙幣挿入口２２、返却レバー２３は貨幣の投入・返却操作を行う操作パネル部２０を構成している。さらに、前記外扉２の背面には硬貨投入口２１に連通したコインメカニズム２７、このコインメカニズム２７に連通した金庫２８、紙幣挿入口２２に連通した紙幣識別装置２９などが設けられている。なお、ディスプレイ室５の上部およびディスプレイ台７の下部には商品見本８などを明るく照らす蛍光灯などの照明光源（不図示）が配設されている。
【０００３】
前記外扉２におけるディスプレイ室５の下方には透明パネル４１と広告ユニット１１からなる広告展示部１０が形成され、この広告展示部１０は操作パネル部２０と横並びに配設されている。すなわち、広告展示部１０は外扉２の背面に配設されたコインメカニズム２７，紙幣識別装置２９の左側に隣接して配設され、外扉２における当該箇所に矩形の窓穴が形成され、この窓穴をアクリル樹脂からなる透明パネル４１で覆うように構成されている。前記透明パネル４１は不図示のパッキンを介して窓穴の周囲に当接し、その４周縁を外扉２の枠体にねじにより固着されたパネル押え４２、４３、４４、４５により保持されている。広告展示部１０を構成する広告ユニット１１は中扉６に固着された取付枠１２と電装部品を搭載した電装ボックス１３からなる。前記取付枠１２は背面が開放した箱形であって、前面がポスターや装飾パネルなどの広告部材１４の展示面として形成されている。前記取付枠１２の前面には広告部材１４を吊下げる一対のフック（不図示）が設けられている。前記広告ユニット１１は中扉６を閉じた状態（中扉６を外扉２に係止させた状態）で外扉２の背面に配設されたコインメカニズム２７，紙幣識別装置２９の左側に隣接するスペースに格納されるように構成されている（例えば特許文献１参照）。なお、かかる特許文献１には電装ボックスの記載がないが、この電装ボックスについては周知である。
かかる自動販売機はキー操作によりロック付ハンドル（扉ロック装置）２５を鎖錠して外扉２を閉じた状態で商用電源からの電力供給を受けてディスプレイ室５内の蛍光灯を点灯制御することにより商品見本８や広告部材１４などを明るく照らし出すとともに冷却／加熱ユニットを運転制御して庫内の商品を冷却／加熱する。硬貨または紙幣が投入されるとコインメカニズム２７または紙幣識別装置２９により識別して投入金額を積算するととともにこの投入金額と商品価格とを比較して商品選択ボタンの販売可能ランプを点灯制御する。商品選択ボタンが操作されると選択された商品価格と投入金額とを演算して商品収納ラックに搭載された商品払出機構に販売信号を供給する。この販売信号に基づいて前記商品払出機構はソレノイドの励磁・釈放動作により商品収納ラックに収納した商品を１個づつ搬出する。
【特許文献１】特開２００１−５２２４８号公報
【発明の開示】
【発明が解決しようとする課題】
【０００４】
ところで、昨今では電子マネーの普及に伴って自動販売機においても硬貨または紙幣などの現金による商品の販売に加えて電子マネーによる商品の販売を可能とすることが望まれている。前記電子マネーにより商品の販売を可能とするためにはＩＣカードや携帯電話からの情報を読取る読取端末装置（リーダー）および読取端末装置との間で情報の授受を行うとともに自動販売機の制御装置との間で信号の授受を行う本体部（ライター）からなるユニットを追加装備しなければならない。特に、ＩＣカードや携帯電話からの情報を読取る読取端末装置は利用者が操作し易い位置に露出して設置する必要がある。ところで、図７に示した自動販売機のように、外扉２の上部領域にディスプレイ室５が形成され、広告展示部１０および操作パネル部２０がディスプレイ室５の下方に横並びに配置された自動販売機にあっては利用者の操作部となる操作パネル部２０の近傍には前記読取端末装置を配設するスペースがない。
一方、前述したように電子マネーにより商品の販売を可能とするためにはＩＣカードや携帯電話からの情報を読取る読取端末装置および読取端末装置との間で情報の授受を行うとともに自動販売機の制御装置との間で信号の授受を行う本体部からなるユニットを追加装備しなければならずコストアップとなる。このため、硬貨または紙幣などの現金のみによる商品の販売に対応した自動販売機の要求も依然としてある。したがって、市場要求に応じて現金対応のみの自動販売機および現金および電子マネー対応の自動販売機をそれぞれ用意せねばならず、自動販売機の機種の増大を招くとともにその管理が煩雑となるという課題を有する。
【０００５】
本発明は上記の点に鑑みなされたものであり、その目的は前記課題を解決し、現金対応のみの自動販売機を標準機とし、電子マネーなどのオプション品を標準機に装着可能とした自動販売機を提供することにある。
【課題を解決するための手段】
【０００６】
上記目的を達成するために請求項１に係る発明は、前面が開口した断熱筐体として形成された本体キャビネットと、当該本体キャビネットの前面を開閉可能な外扉とを備えた自動販売機であって、前記外扉の上部領域に形成されるとともに透明パネルにより覆われたディスプレイ室と、外扉に形成された矩形の窓穴を覆う透明パネルを有し、広告部材を係止して展示するとともに背後に電装ボックスが配設された取付枠を有する広告展示部および貨幣の投入・返却操作を行う操作パネル部を有し、前記広告展示部および操作パネル部がディスプレイ室の下方に横並びに配置された自動販売機において、前記電装部品が配設された取付枠の左右方向幅を前記矩形の窓穴を覆う透明パネルの左右方向幅よりも小さく形成するとともに片方に寄せて配置し、これにより空いたスペースにオプション品が配設されたオプションユニットを備え、前記広告展示部を前記オプションユニットの装着部としたことを特徴とする。
請求項２に係る発明は請求項１に記載した自動販売機において、オプションユニットの非装着時には、片方に寄せて配置された取付枠に並設して目隠し部材を有することを特徴とする。また、請求項３に係る発明は請求項１に記載した自動販売機において、オプション品は電子マネーの少なくとも読取端末装置であることを特徴とする。更に、請求項４に係る発明は請求項３に記載した自動販売機において、電子マネーは複数の種類毎に配設されていることを特徴とする。
【０００７】
請求項５に係る発明は請求項３に記載した自動販売機において、オプションユニットは広告展示部の透明パネルに対応する外形を有するユニット本体枠を有し、前記透明パネルとの互換性を有することを特徴とする。また、請求項５に係る発明は請求項３に記載した自動販売機において、オプションユニットはユニット本体枠と、このユニット本体枠に固着された電子マネーの少なくとも読取端末装置と、この読取端末装置に並設される電装部品が配設された取付枠と、前記ユニット本体枠にパネル押えを介して取付けられた透明パネルおよび前記透明パネルの背後に配設された広告部材とからなることを特徴とする。更に、請求項６に係る発明は請求項５に記載した自動販売機において、パネル押えは広告部材を保持する保持部材を有し、広告部材の保持に兼用されていることを特徴とする。そして、請求項７に係る発明は請求項６に記載した自動販売機において、パネル押えの背後に明り取り窓を有するカバー部材を有することを特徴とする。
【発明の効果】
【０００８】
本発明の請求項１に係る自動販売機によれば、前面が開口した断熱筐体として形成された本体キャビネットと、当該本体キャビネットの前面を開閉可能な外扉とを備えた自動販売機であって、前記外扉の上部領域に形成されるとともに透明パネルにより覆われたディスプレイ室と、外扉に形成された矩形の窓穴を覆う透明パネルを有し、広告部材を係止して展示するとともに背後に電装ボックスが配設された取付枠を有する広告展示部および貨幣の投入・返却操作を行う操作パネル部を有し、前記広告展示部および操作パネル部がディスプレイ室の下方に横並びに配置された自動販売機において、前記電装部品が配設された取付枠の左右方向幅を前記矩形の窓穴を覆う透明パネルの左右方向幅よりも小さく形成するとともに片方に寄せて配置し、これにより空いたスペースにオプション品が配設されたオプションユニットを備え、前記広告展示部を前記オプションユニットの装着部としたことにより、既設の自動販売機にも適用されている広告展示部を備えた現金対応のみの自動販売機を標準機とし、電子マネーなどのオプション品を付加した自動販売機を欲する市場要求に応じて標準機である自動販売機にオプション品を装着して提供することができという利点を有する。
また、本発明の請求項２に係る自動販売機によれば、請求項１の自動販売機において、オプションユニットの非装着時には、片方に寄せて配置された取付枠に並設して目隠し部材を有することにより、電装部品が配設される取付枠を標準機である自動販売機とオプション品が装着された自動販売機とに共用することができるという利点を有する。
【０００９】
また、本発明の請求項３に係る自動販売機によれば、請求項１の自動販売機において、オプション品を電子マネーの少なくとも読取端末装置とすることより、現金対応のみの自動販売機（標準機）と、前記標準機の広告展示部に電子マネーなどのオプション品を装着した現金および電子マネー対応の自動販売機を提供することができ、更に、本発明の請求項４に係る自動販売機によれば、請求項３に記載した自動販売機において、電子マネーは複数の種類毎に配設されていることにより、マルチ型のリーダー／ライターのように大幅な改造を行うことなく複数種類の電子マネーを搭載することができる。
また、本発明の請求項４に係る自動販売機によれば、請求項３の自動販売機において、オプションユニットは広告展示部の透明パネルに対応する外形を有するユニット本体枠を有し、前記透明パネルとの互換性を有することにより、既設の自動販売機にもオプションユニットを装着したいという市場要求に応じてオプションユニットを装着することができる。
また、本発明の請求項５に係る自動販売機によれば、請求項３の自動販売機において、オプションユニットを、ユニット本体枠と、このユニット本体枠に固着された電子マネーの少なくとも読取端末装置と、この読取端末装置に並設される電装部品が配設された取付枠と、前記ユニット本体枠にパネル押えを介して取付けられた透明パネルおよび前記透明パネルの背後に配設された広告部材とにより構成することによって、広告部材による広告を維持しつつオプションユニットを有する自動販売機を提供することができる。
【００１０】
また、本発明の請求項６に係る自動販売機によれば、請求項５の自動販売機において、パネル押えは広告部材を保持する保持部材を有し、広告部材の保持に兼用されていることにより、広告部材を保持する専用の部材を必要としないことから部品点数の削減によってコストダウンを図ることができ、更に本発明の請求項７に係る自動販売機によれば、請求項６に記載した自動販売機において、パネル押えの背後に明り取り窓を有するカバー部材を備えたことにより、広告展示部に虫が侵入するのを防止することができるという利点を有する。
【発明を実施するための最良の形態】
【００１１】
以下、本発明の実施の形態における自動販売機を示す図面に基づいて説明する。
（実施の形態１）
図１および図２は本発明の実施の形態１である自動販売機の外扉の背面を示し、図１は標準機仕様の自動販売機における外扉の要部背面斜視図、図２はオプションユニットを装着した自動販売機における外扉の要部背面斜視図であり、図３は図１に示した標準機における広告展示部の分解斜視図、図４は図２に示したオプションユニットの分解斜視図である。なお、図７および図８に示す部材と同一機能を有するものには同一の符号を付している。
図１において、２で再び外扉を示し、この外扉２の上下方向の中間領域における図では右側（自動販売機の正面から見ると左横）に広告展示部１０が配設されており、この広告展示部１０の左横（自動販売機の正面から見ると右横）には従来と同様にコインメカニズム２７、紙幣識別装置２９が配設されており、これらの下方には前記コインメカニズム２７に連通した金庫２８、商品取出口２４が配設されている。前記広告展示部９の上方域はディスプレイ室５として形成されている。
前記広告展示部１０は図３に示すように、透明パネル４１、パネル押え５０、広告部材１４０、電装ボックス１３の取付枠６０および目隠し部材７０からなる。アクリル樹脂からなる透明パネル４１は従来と同様に外扉２に形成された矩形の窓穴を覆うように配設される。板金材料からなるパネル押え５０は略Ｕ字断面形状に形成された上縁押え金５１、略Ｚ字断面形状に形成された左右の側縁押え金５２,５３からなり、それぞれねじの挿通孔５１１、５３１が形成されている（なお、図では側縁押え金５２の挿通孔は側縁押え金５２に隠れて見えない）。前記広告部材１４０は宣伝ポスターや装飾パネルからなり、上端側に左右一対の係合穴１４１が形成されている。板金材料からなる取付枠６０は後方が開口した薄い箱形であって、開口面が鉛直で、前面が下部域に対して上部域が後方に位置するように後傾して形成されている。この取付枠６０は従来の取付枠１２（図８参照）よりも左右幅を小さく形成され、自動販売機の正面側から見て左側の上端にフック６１２が形成されるとともに上方フランジ６１にねじの挿通孔６１１が形成されている。板金材料からなる目隠し部材７０は左右幅を小さく形成された取付枠６０に並設され、後述するオプション品が占有する幅と同一の幅を有している。この目隠し部材７０も取付枠６０と同様に後傾するように形成され、自動販売機の正面側から見て右側の上端にフック７１が形成されるとともに上壁および左右の側壁にそれぞれねじの挿通孔７１が形成されている（図１および図３では左右側壁のねじ挿通孔は隠れてみえない）。
【００１２】
図１および図３に示す標準機仕様の自動販売機における広告展示部１０の組み付けは、先ず外扉２の背面側から透明パネル４１を外扉２に形成された矩形の窓穴に宛がう。そして、透明パネル４１の背面をパネル押え５０により押え付ける。このパネル押え５０の上縁押え金５１および左右の側縁押え金５２,５３はそれぞれの挿通孔５１１、５３１を介してねじにより外扉２の枠体に固着される。なお、透明パネル４１の前面側の周囲には不図示のパッキンが貼着されており、雨水の進入を防止するように構成されている。次に、電装ボックス１３が装着された取付枠６０のフック６１２に広告部材１４０の一方の係合穴１４１を嵌め込み、広告部材１４０を保持しながら取付枠６０を透明パネル４１の背後の空間（パネル押え５０により囲まれた空間）に挿入する。このようにパネル押え５０に囲まれた空間に挿入した取付枠６０は、その上方フランジ６１に形成された挿通孔６１１を介してねじにより外扉２の枠体に固定する。そして最後に目隠し部材７０を前記取付枠６０に並設する。この場合、目隠し部材７０はそのフック７１を広告部材１４０の他方の係合穴１４１に差し込みながらパネル押え５０に囲まれた空き空間に収められる。前記空き空間に収められた目隠し部材７０は上壁および左右の側壁にそれぞれ形成された挿通孔７１を介してねじにより外扉２の枠体に固着される。なお、図１におけるＳは目隠し部材７０の一方に側壁（自動販売機の正面から見て左側の側壁）に形成された挿通孔を通して外扉２の枠体に螺着されるねじを示している。
【００１３】
次に、図２および図４を用いてオプションユニットを装着した自動販売機について説明する。図２は図１に示した標準機仕様の自動販売機における広告展示部１０の目隠し部材７０と対応する位置にオプション部品１２０が配設されたオプションユニット１００を装着した状態を示し、オプションユニット１００に横並びにコインメカニズム２７、紙幣識別装置２９が配設されており、これらの上方域がディスプレイ室５として形成されている。なお、図１および図３に示すものと同一の部材には同一の符号を付している。
前記オプションユニット１００は図４に示すように、ユニット本体枠１１０、オプション品１２０、オプション品１２０の保護部材１３０、透明パネル１４０、パネル押え１５０、広告部材１６０、パネル押え５０および電装ボックス１３の取付枠６０からなる。
前記ユニット本体枠１１０は外扉２に形成された矩形の窓穴を覆うように配設される薄板鋼板からなる矩形枠であり、ユニット本体枠１１０には広告展示用の展示窓１１０ａおよびオプション品１２０の露出窓１１ｂが形成されるとともにその前面側の周囲にパッキンＰが貼着されている。このユニット本体枠１１０は図３に示した透明パネル４１と同一の外形と板厚に形成されている。オプション品１２０はこの実施の形態ではＩＣカードや携帯電話からの情報を読み込んで決済を行う所謂電子マネーであり、ＩＣカードや携帯電話からの情報を読取る読取端末装置１２１および読取端末装置１２１との間で情報の授受を行うとともに自動販売機の制御装置（不図示）との間で信号の授受を行う本体部１２２からなる。板金材料からなる保護部材１３０は前記オプション品１２０を格納する箱型に形成され、底面（前面）に前記読取端末装置１２１が嵌め込まれる開口１３１が形成されている。
【００１４】
アクリル樹脂からなる透明パネル１４０はユニット本体枠１１０に形成された展示窓１１０ａを覆うものである。板金材料からなるパネル押え１５０は略Ｕ字断面形状に形成された上縁押え金１５１と略Ｚ字断面形状に形成された左右の側縁押え金１５２,１５３からなる門形の押え金１５４および下縁押え金１５５からなり、上縁押え金１５１および下縁押え金１５５にはそれぞれねじの挿通孔１５１１（上縁押え金１５１のみ示す）が形成されている。前記パネル押え１５０の奥行き（高さ）はパネル押え５０の奥行き（高さ）よりも小さく定められている。広告部材１６０は宣伝ポスターや装飾パネルからなり、パネル押え１５０の左右の側縁押え金１５２,１５３の間の寸法とより僅かに小さい寸法に定められている。パネル押え５０および電装ボックス１３の取付枠６０は図１および図３に示すものと同一であり、パネル押え５０がユニット本体枠１１０を保持する点が図１および図３に示すものと相違している。
図２および図４に示す電子マネー対応の自動販売機における広告展示部１０の組み付けについて説明する。まず、保護部材１３０をユニット本体枠１１０の背面に固着する。この固着は図には明示していないが、保護部材１３０の前面壁にねじの挿通孔が形成されており、一方、ユニット本体枠１１０の背面に取付金が設けられており、保護部材１３０の挿通孔を介してねじによりユニット本体枠１１０の取付金に螺着することにより行われる。ユニット本体枠１１０に保護部材１３０を固着した後その箱内にオプション品１２０を格納し、オプション品１２０の本体部１２２から上下に延びるフランジ１２３,１２４を保護部材１３０の内面に設けた取付金具にねじにより固着して一体化する。オプション品１２０を保護部材１３０の箱内に格納して一体化すると、オプション品１２０の読取端末装置１２１におけるアンテナ部１２１ａが保護部材１３０の開口１３１を介してユニット本体枠１１０の露出窓１１ｂから自動販売機の前面に露出する。
【００１５】
次に、ユニット本体枠１１０の背面側から透明パネル１４０をユニット本体枠１１０に形成された矩形の展示窓１１０ａに宛がう。そして、透明パネル１４０の背面をパネル押え１５０により押え付ける。この場合、まず門型の押え金１５４を透明パネル１４０の背面に宛がい、その上縁押え金１５１に形成した挿通孔１５１１を介してねじにより押え金１５４をユニット本体枠１１０に固着する。押え金１５４をユニット本体枠１１０に固着した状態で、左右の側縁押え金１５２,１５３の間に広告部材１６０を挿入する。この場合、左右の側縁押え金１５２,１５３からそれぞれ内側を向く一対のパネル支持片１５２１（Ｚ字の一方の脚片がそれぞれ対向してパネル支持片であり、図４では側縁押え金１５２のパネル支持片１５２１が示されている）が形成されており、この一対のパネル支持片１５２１により広告部材１６０が支持される。門形の押え金１５４に広告部材１６０を支持させた状態でパネル押え１５０の下縁押え金１５５をねじによりユニット本体枠１１０に固着する。この下縁押え金１５５の取付けにより、門形の押え金１５４における左右の側縁押え金１５２,１５３の下端および広告部材１６０の下端が固定される。ここで、門形の押え金１５４における左右の側縁押え金１５２,１５３は前面側が鉛直に形成され、後面側が下端側から上端側に向かうにしたがって後方に位置するように後傾していることから、広告部材１６０も後傾するように配設されるものである。
【００１６】
前述したようにしてオプション品１２０、広告部材１６０が取付けられたユニット本体枠１１０はパネル押え５０により外扉２に形成された矩形の窓穴を覆うように取付けられる。すなわち、パネル押え５０は図１および図３に示すものと同様に、上縁押え金５１および左右の側縁押え金５２,５３がそれぞれの挿通孔５１１、５２１、５３１を介してねじにより外扉２の枠体に固着され、これにより図１および図３に示した透明パネル４１と同一形状で同一の板厚を有するユニット本体枠１１０は外扉２の窓穴の周囲にパッキンＰを介して密着して取付けられる。最後に、電装ボックス１３が装着された取付枠６０を透明パネル１４０の背後の空間（パネル押え５０により囲まれるとともに保護部材１３０に隣接する空間）に挿入する。このようにパネル押え５０に囲まれた空間に挿入した取付枠６０は、その上方フランジ６１に形成された挿通孔６１１を介してねじにより外扉２の枠体に固定する。
なお、前述した実施の形態ではオプション品として電子マネーの読取端末装置と本体部とを一体にしたものを示したが、電子マネーの読取端末装置と本体部とを分離して読取端末装置のみをオプションユニットに装着することもでき、また、オプション品は電子マネーに限定されるものではない。
（実施の形態２）
図５は本発明の実施の形態２であるオプションユニットを装着した自動販売機を示し、実施の形態１における図４に相当するオプションユニットの分解斜視図である。なお、図４に示す部材と同一機能を有するものには同一の符号を付している。
【００１７】
図５に示す実施の形態２における自動販売機のオプションユニット１０１は、図４に示した実施の形態１のオプションユニット１００と同様に、ユニット本体枠１１０、オプション品１２０、オプション品１２０の保護部材１３０、透明パネル１４０、パネル押え１５０、広告部材１６０、パネル押え５０および電装ボックス１３の取付枠６０とを備えている。図５に示すオプションユニット１０１が図４に示した実施の形態１のオプションユニット１００と相違する点はパネル押え１５０の背後に当該パネル押え１５０を囲繞する防虫用のカバー部材１７０を設けた点である。
ここで、前記広告部材１４０は、昼間はもちろんのこと夜間でも見えるように照明されている。前記広告部材１４０への照明光源としては、従来から良く知られているようにディスプレイ室５（図７，図８参照）に設けられた照明光源、すなわち、商品見本８などを明るく照らすためにディスプレイ台７の下部に配設された蛍光灯が利用される。前記蛍光灯の光を広告部材１４０に導入するため、パネル押え１５０の上部に導光部１５６が開けられている。このためにパネル押え１５０の上縁押え金１５１を後縁側から切起して形成し、切起しにより形成された上縁押え金１５１の跡が導光部１５６として用いられている。このようにパネル押え１５０には広告部材１４０を照明するために導光部１５６が形成されていることから当該導光部１５６を介して広告部材１４０に虫が侵入するおそれがある。
【００１８】
そこで、本発明の実施の形態２においてはパネル押え１５０を囲繞する防虫用のカバー部材１７０を設けたものである。前記カバー部材１７０は上枠１７１および左右枠１７２、１７３からなり、前記カバー部材１７０をパネル押え１５０に組み付けたとき、上枠１７１および左右枠１７２、７３の前端がパネル押え１５０の上縁押え金１５１および左右の側縁押え金１５２，１５３に当接し、パネル押え１５０の上縁および左右の側縁を外周側から覆うように門形に形成されている。前記カバー部材１７０は不透明な合成樹脂からなり、上枠１７１には透明な窓、すなわち明り取り窓が形成されている。前記カバー部材１７０の上枠１７１の前端には上方に延在する係止部１７１１が形成されており、当該係止部１７１１には化粧ねじＳ１の胴部が貫通するねじ穴が穿孔されている。
前記カバー部材１７０はパネル押え１５０の背面側からパネル押え１５０に組み付けられる。その際、カバー部材１７０の左右枠１７２、１７３の下端がパネル押え１５０の下縁押え金１５５に形成した穴に嵌合するように差込まれ、カバー部材１７０の上縁１７１の係止部１７１１を介して化粧ねじＳ１をパネル押え１５０の上縁押え金１５１に捻じ込む。これによりカバー部材１７０の上枠１７１は明り取り窓を介して広告部材１４０にディスプレイ室５（図７，図８参照）に配設された蛍光灯からの光を導入しつつ、パネル押え１５０の導光部１５６を閉塞して当該導光部１５６を介して虫が侵入するのを防止する。また、広告部材１４０を交換する場合には化粧ねじＳ１を緩めてカバー１７０を取り外すとパネル押え１５０の導光部１５６が開口し、この導光部１５６を介して広告部材１４０を交換すればよい。
【００１９】
なお、前述した実施の形態２ではカバー部材１７０を不透明な合成樹脂により形成したものについて説明したが、カバー部材１７０を透明な合成樹脂により形成することができ、この場合にはカバー部材１７０の上枠１７１に明り取り窓を形成する必要はない。
（実施の形態３）
図６は本発明の実施の形態３であるオプションユニットを装着した自動販売機を示し、自動販売機の正面から見たオプションユニットの主要部を示す拡大正面図である。なお、図２，４に示す部材と同一機能を有するものには同一の符号を付している。
図６に示す実施の形態３における自動販売機のオプションユニット１０２は、オプション品１２０（図２，４，５参照）として電子マネーとして種類毎に個別の電子マネー１２１，１２２を備えたものである。すなわち、図２，４，５に示した実施の形態では一種類の電子マネーしか対応できないのに対し、この実施の形態３では２種類の電子マネーに対応可能としたものである。このため、オプションユニット１０２を構成するユニット本体枠１１０の前面にはそれぞれ異なる種類の電子マネー１２１，１２２の読取端末装置１２１ａ，１２２ａが露出して配設されるとともに、２種類の電子マネー１２１，１２２のうちの何れを使用するかを選択する選択釦９１，９２が配設されている。前記電子マネー１２１の読取端末装置１２１ａは開口した読取口に携帯電話を挿入するように構成され、一方、電子マネー１２２の読取端末装置１２２ａはその表面にＩＣカードをかざすように構成されている。前記電子マネー１２１，１２２は図２，図４に示したオプション品１２０と同様にそれぞれ個別にユニット化されて着脱自在にユニット本体枠１１０に組み付けられているものである。
【００２０】
ここで、電子マネーとして１台で複数の電子マネーやモバイルクレジットに対応するマルチ型の読取端末装置と本体部（以下、読取端末装置と本体部を単にリーダー／ライターという）を備えたものも知られており、このマルチ型リーダー／ライターを使用すれば、電子マネーの設置するための取付場所を確保する点で有利であるが、複数の電子マネーに対応する専用のリーダー／ライターを開発しなければならないことから費用が嵩み、また、新たな電子マネーが出現した際には専用のリーダー／ライター再開発をしなければならないものである。これに対し、図６に示す実施の形態３では電子マネーの種類毎にリーダー／ライターを設置することができることから、新たな電子マネーが出現した際にも大きな改造を行うことなく自動販売機に搭載することができるものである。
前述したとおり本発明によれば、前面が開口した断熱筐体として形成された本体キャビネット１（図８参照）と、当該本体キャビネット１の前面を開閉可能な外扉２とを備えた自動販売機であって、前記外扉２の上部領域に形成されるとともに透明パネル４（図７、図８参照）により覆われたディスプレイ室５と、外扉２に形成された矩形の窓穴を覆う透明パネル４１を有し、広告部材１４（図８参照）を係止して展示するとともに背後に電装ボックス１３が配設された取付枠１２を有する広告展示部１０および貨幣の投入・返却操作を行う操作パネル部２０を有し、前記広告展示部１０および操作パネル部２０がディスプレイ室５の下方に横並びに配置された自動販売機において、前記電装ボックス１３が配設された取付枠６０の左右方向幅を前記矩形の窓穴を覆う透明パネル４１の左右方向幅よりも小さく形成するとともに片方に寄せて配置し、これにより空いたスペースにオプション品１２０が配設されたオプションユニット１００（１０１，１０２）を備え、前記広告展示部１０を前記オプションユニット１００（１０１，１０２）の装着部としたことにより、既設の自動販売機にも適用されている広告展示部１０を備えた現金対応のみの自動販売機を標準機とし、電子マネーなどのオプション品１２０を付加した自動販売機を欲する市場要求に応じて標準機である自動販売機にオプション品１２０を装着して提供することができるという利点を有する。
【００２１】
以上に説明した本発明に係る自動販売機は缶入り飲料、ビン入り飲料、ペットボトル入り飲料、紙パック入り飲料等の商品を販売するものに加えてたばこなどの物品を販売する自動販売機、内部で調理・製造したコーヒー等をカップに抽出して販売する自動販売機に有用である。
【図面の簡単な説明】
【００２２】
【図１】本発明の実施の形態１である自動販売機における外扉の背面を示し、標準機仕様の自動販売機における外扉の要部背面斜視図である。
【図２】本発明の実施の形態１である自動販売機にオプションユニットを装着した自動販売機における外扉の背面を示し、オプションユニットを装着した外扉の要部背面斜視図である。
【図３】図１に示した標準機仕様の広告展示部の分解斜視図である。
【図４】図２に示したオプションユニットの分解斜視図である。
【図５】本発明の実施の形態２である自動販売機におけるオプションユニットの分解斜視図である。
【図６】本発明の実施の形態３である自動販売機の正面から見たオプションユニットの主要部を示す拡大正面図である。
【図７】本発明の実施対象に係る自動販売機の正面図である。
【図８】図７に示した自動販売機の全体構成を示す斜視図である。
【符号の説明】
【００２３】
１    本体キャビネット
２    外扉
５    ディスプレイ室
１０    広告展示部
１３    電装ボックス
２０    操作パネル部
４１、１６０    透明パネル
５０、１５０    パネル押え
６０    取付枠
７０    目隠し部材
１００、１０１、１０２    オプションユニット
１２０    オプション品
１２１    読取端末装置
１２２    本体部
１４１、１６０    広告部材
１７０    カバー部材
【図１】
0004924512.tif 000002
【図２】
0004924512.tif 000003
【図３】
0004924512.tif 000004
【図４】
0004924512.tif 000005
【図５】
0004924512.tif 000006
【図６】
0004924512.tif 000007
【図７】
0004924512.tif 000008
【図８】
0004924512.tif 000009